(57)【要約】【課題】本発明は、利便性を保ちつつ、デジタルサイネージシステムの大規模化を抑制し、かつシステムの運用のための特別な知識を必要としない、コンテンツ制御設定システムを提供する。【解決手段】本発明に係るコンテンツ制御設定システム１００は、画像表示装置１と制御装置３とを備える。画像表示装置１は、制御装置３からウェブサーバ２６に対して送信された制御設定要求信号に応じて、制御装置３に、ウェブブラウザ５１による表示が可能な制御画面表示用データ（ＨＴＭＬ）を送信する。制御装置３は、当該制御画面表示用データ（ＨＴＭＬ）とウェブブラウザ５１とを用いて、コンテンツの制御および／または設定を行うためのウェブ画面３１，３２を表示する。【選択図】図１
2012038122.tif 000002
【特許請求の範囲】
【請求項１】
コンテンツの表示を行い、ウェブサーバの機能を有し、ネットワーク接続可能な画像表示装置と、
ウェブブラウザの機能を有し、ウェブ画面の表示が可能であり、前記ネットワークに接続可能な制御装置とを、備えており、
前記画像表示装置は、
前記制御装置から前記ウェブサーバに対して送信された制御設定要求信号に応じて、当該制御装置に、前記ウェブブラウザによる表示が可能な制御画面表示用データを送信し、
前記制御装置は、
前記制御画面表示用データと前記ウェブブラウザとを用いて、前記コンテンツの制御および／または設定を行うための前記ウェブ画面を表示する、
ことを特徴とするコンテンツ制御設定システム。
【請求項２】
前記コンテンツを保存しており、前記画像表示装置に接続可能なストレージ機器を、さらに備えている、
ことを特徴とする請求項１に記載のコンテンツ制御設定システム。
【請求項３】
前記コンテンツを保存しており、前記ネットワークに接続可能なコンテンツサーバを、さらに備えている、
ことを特徴とする請求項１に記載のコンテンツ制御設定システム。
【請求項４】
前記コンテンツの保存先は、
２以上であり、
前記制御装置は、
前記ウェブ画面上において、前記画像表示装置で再生される前記コンテンツの前記保存先を選択できる、
ことを特徴とする請求項１に記載のコンテンツ制御設定システム。
【請求項５】
前記コンテンツの保存先は、
前記画像表示装置に接続可能なストレージ機器と、
前記ネットワークに接続可能なコンテンツサーバとである、
ことを特徴とする請求項４に記載のコンテンツ制御設定システム。
【請求項６】
前記コンテンツの前記保存先として、前記コンテンツサーバが選択されたとき、前記画像表示装置は、
前記コンテンツサーバから、前記画像表示装置に接続された前記ストレージ機器に、前記コンテンツをダウンロードし、当該ダウンロード後、前記コンテンツの再生表示を行う、
ことを特徴とする請求項５に記載のコンテンツ制御設定システム。
【請求項７】
前記コンテンツの前記保存先として、前記ストレージ機器が選択されたとき、前記画像表示装置は、
前記ストレージ機器に保存されている前記コンテンツの再生表示を行う、
ことを特徴とする請求項５に記載のコンテンツ制御設定システム。
【請求項８】
前記コンテンツの前記保存先として、前記コンテンツサーバが選択されたとき、前記画像表示装置は、
前記コンテンツサーバに保存されている前記コンテンツのストリーミング再生表示を行う、
ことを特徴とする請求項５に記載のコンテンツ制御設定システム。
【請求項９】
前記制御装置は、
前記ウェブ画面上において、前記画像表示装置での前記コンテンツの再生スケジュールを設定でき、
前記画像表示装置は、
前記再生スケジュールに従って、前記コンテンツの再生表示を行う、
ことを特徴とする請求項１に記載のコンテンツ制御設定システム。
【請求項１０】
前記画像表示装置は、
複数であり、
前記制御装置は、
前記ウェブ画面上において、前記画像表示装置のグループ分け設定ができる、
ことを特徴とする請求項１に記載のコンテンツ制御設定システム。
【請求項１１】
前記グループ分け設定に関する登録情報は、
全ての前記画像表示装置に送信される、
ことを特徴とする請求項１０に記載のコンテンツ制御設定システム。
【請求項１２】
前記制御装置は、
一台の所定の前記画像表示装置の前記ウェブサーバに対して、前記制御設定要求信号を送信し、
前記所定の画像表示装置は、
前記制御設定要求信号に応じて、前記制御装置に、前記制御画面表示用データを送信し、
前記制御装置は、
前記制御画面表示用データと前記ウェブブラウザとを用いて、前記コンテンツの再生スケジュール設定を行うための前記ウェブ画面を表示し、前記ウェブ画面上において、所望の前記画像表示装置での前記コンテンツの再生スケジュールを設定でき、
前記所定の画像表示装置は、
前記所望の画像表示装置および、前記グループ分け設定により当該所望の画像表示装置と同じグループに属する他の前記画像表示装置に対して、前記再生スケジュールと、前記再生スケジュールに従って再生される予定の前記コンテンツとを、送信する、
ことを特徴とする請求項１１に記載のコンテンツ制御設定システム。
【請求項１３】
前記画像表示装置は、
前記コンテンツの再生表示を行う表示部と、
別部材として前記表示部と接続され、前記ウェブサーバの機能とネットワーク接続の機能とを有するセットトップボックス部とから、構成されている、
ことを特徴とする請求項１に記載のコンテンツ制御設定システム。
【請求項１４】
前記画像表示装置は、
自装置内において、再生表示を行う前記コンテンツの復号を実施する、
ことを特徴とする請求項１に記載のコンテンツ制御設定システム。
【請求項１５】
前記コンテンツの復号を実施するデコーダを、さらに備えており、
前記画像表示装置は、
前記デコーダからの信号に基づいて、前記コンテンツの再生表示を行う、
ことを特徴とする請求項１に記載のコンテンツ制御設定システム。
【請求項１６】
コンテンツの表示を行い、ウェブサーバの機能を有し、ネットワーク接続可能な画像表示装置と、ウェブブラウザの機能を有し、ウェブ画面の表示が可能であり、前記ネットワークに接続可能な制御装置とを、備えているコンテンツ制御設定システムにおけるコンテンツ制御設定方法であって、
（Ａ）前記制御装置が、前記画像表示装置の前記ウェブサーバに対して、制御設定要求信号を送信するステップと、
（Ｂ）前記画像表示装置が、前記制御設定要求信号に応じて、前記制御装置に対して、前記ウェブブラウザによる表示が可能な制御画面表示用データを送信するステップと、
（Ｃ）前記制御装置が、前記制御画面表示用データと前記ウェブブラウザとを用いて、前記コンテンツの制御および／または設定を行うための前記ウェブ画面を表示するステップとを、備える、
ことを特徴とするコンテンツ制御設定方法。
【発明の詳細な説明】
【技術分野】
【０００１】
本発明は、広告等のコンテンツの表示に関する制御・設定を行うコンテンツ制御設定システムおよびコンテンツ制御設定方法に関するものである。
【背景技術】
【０００２】
近年、店舗等で製品広告やサービスを小型画像表示装置に表示するＰＯＰ（Ｐｏｉｎｔ  Ｏｆ  Ｐｕｒｃｈａｓｅ）装置や、公共の場所等で企業広告や製品広告を大型画像表示装置に表示する電子看板が、急速に普及している。当該ＰＯＰ装置や電子看板等は、総じてデジタルサイネージと呼ばれ、顧客に対する販促効果を高めている。
【０００３】
従来のデジタルサイネージのシステムでは、パーソナルコンピュータ（ＰＣ）)やＤＶＤ（Ｄｉｇｉｔａｌ  Ｖｅｒｓａｔｉｌｅ  Ｄｉｓｃ）プレーヤー等の再生装置と、テレビやディスプレイモニター等の画像表示装置とを用いて、コンテンツの再生が行われている。または、特許文献１や特許文献２に開示されている方法も存在する。
【０００４】
特許文献１に係る技術では、画像表示装置に、メモリカード等の記憶媒体からデータを読み出す手段と制御手段とが、搭載されている。当該特許文献１に係る技術では、記憶媒体に保存されているコンテンツを、画像表示装置に搭載しているマイコンが繰り返し読み出すことで、当該コンテンツの再生が実現されている。
【０００５】
当該特許文献１に係る技術では、既存の再生装置を既存の表示装置に接続するか、もしくはコンテンツが記憶されている記憶媒体を専用再生装置に接続するだけである。したがって、当該特許文献１に係る技術では、特別なシステムやアプリケーションは必要なく、加えて操作にも特別な知識を必要としない利点があり、簡単にデジタルサイネージシステムを実現できる。
【０００６】
また、特許文献２には、専用サーバーを含む専用配信システムから、テレビや専用受信機を含む専用受信システムへと、ネットワークを介して再生用のコンテンツが配信される技術が、開示されている。
【０００７】
当該特許文献２に係る技術では、時間帯、曜日に応じて再生コンテンツをスケジュール管理できるよう、専用配信システム側で当該スケジュールを適宜変更ができる。加えて、当該特許文献２に係る技術では、地震、災害等の緊急を要する情報をリアルタイムで配信することができるので、利便性が高い。
【先行技術文献】
【特許文献】
【０００８】
【特許文献１】特開２００１−１００６８３号公報
【特許文献２】特開２００７−１７４６１１号公報
【発明の概要】
【発明が解決しようとする課題】
【０００９】
しかしながら、特許文献１に係る技術では、利便性が低いという問題がある。つまり、特許文献１に係る技術では、再生できるコンテンツは、再生装置や記憶媒体に予め記憶されたものに限定され、またコンテンツの更新のためには、現在再生中のコンテンツを一旦ストップしなければならないという欠点がある。
【００１０】
また、特許文献２に係る技術では、大規模システムが必要であり、システムの運用に特別な知識が必要である、という問題がある。つまり、特許文献２に係る技術では、デジタルサイネージシステムを構築するためには、配信側システムおよび受信側システムの双方に、専用のハードウェア（Ｈ／Ｗ）とソフトウェア（Ｓ／Ｗ）とが必要となり、システムが大規模化する。また、当該Ｈ／ＷおよびＳ／Ｗの必要性により、当該特許文献２に係る技術では、システムの構築・運用のためには特別な知識が必要となる。また、当該特許文献２に係る技術では、配信側システムに何らかの不具合が発生すると、システム全体の機能がストップする。このため、配信側システムには、特に信頼性の高い機器の導入や、監視機能およびバックアップ機能の導入が必要となり、当該点においても、特許文献２に係る技術は、システムの運用に特別な知識が必要となる。
【００１１】
一方で、ＰＯＰ装置を利用したシステムでは、デジタルサイネージシステムの小規模化が実現でき、システム導入も容易である。しかしながら、ＰＯＰ装置を、天井など手の届かない場所へ設置した場合、コンテンツ更新が非常に困難になり、利便性が低くなるという問題が生じる。
【００１２】
そこで、本発明は、利便性を保ちつつ、デジタルサイネージシステムの大規模化を抑制し、かつシステムの運用のための特別な知識を必要としない、コンテンツ制御設定システムおよびコンテンツ制御設定方法を提供することを目的とする。
【課題を解決するための手段】
【００１３】
上記の目的を達成するために、本発明に係るコンテンツ制御設定システムは、コンテンツの表示を行い、ウェブサーバの機能を有し、ネットワーク接続可能な画像表示装置と、ウェブブラウザの機能を有し、ウェブ画面の表示が可能であり、前記ネットワークに接続可能な制御装置とを、備えており、前記画像表示装置は、前記制御装置から前記ウェブサーバに対して送信された制御設定要求信号に応じて、当該制御装置に、前記ウェブブラウザによる表示が可能な制御画面表示用データを送信し、前記制御装置は、前記制御画面表示用データと前記ウェブブラウザとを用いて、前記コンテンツの制御および／または設定を行うための前記ウェブ画面を表示する。
【００１４】
また、本発明に係るコンテンツ制御設定方法は、コンテンツの表示を行い、ウェブサーバの機能を有し、ネットワーク接続可能な画像表示装置と、ウェブブラウザの機能を有し、ウェブ画面の表示が可能であり、前記ネットワークに接続可能な制御装置とを、備えているコンテンツ制御設定システムにおけるコンテンツ制御設定方法であって、（Ａ）前記制御装置が、前記画像表示装置の前記ウェブサーバに対して、制御設定要求信号を送信するステップと、（Ｂ）前記画像表示装置が、前記制御設定要求信号に応じて、前記制御装置に対して、前記ウェブブラウザによる表示が可能な制御画面表示用データを送信するステップと、（Ｃ）前記制御装置が、前記制御画面表示用データと前記ウェブブラウザとを用いて、前記コンテンツの制御および／または設定を行うための前記ウェブ画面を表示するステップとを、備える。
【発明の効果】
【００１５】
本発明に係るコンテンツ制御設定システムおよびコンテンツ制御設定方法では、画像表示装置は、制御装置からウェブサーバに対して送信された制御設定要求信号に応じて、当該制御装置に、ウェブブラウザによる表示が可能な制御画面表示用データを送信する。そして、制御装置は、制御画面表示用データとウェブブラウザとを用いて、コンテンツの制御および／または設定を行うための前記ウェブ画面を表示する。
【００１６】
したがって、本発明では、作業者は制御装置のウェブブラウザ操作のみで、画像表示装置におけるコンテンツの再生表示を制御・設定できるので、高い利便性を有する。また、本発明では、制御装置側には特別なアプリケーションの実装が不要となり、これにより、システムの運用のための特別な知識を必要としない。加えて、制御装置には、特別なＨ／ＷやＳ／Ｗ実装する必要がなく、ウェブブラウザのみ搭載されていれば十分である。よって、本発明では、デジタルサイネージシステムの大規模化を抑制でき、かつシステム導入のコストも低減できる。
【図面の簡単な説明】
【００１７】
【図１】本発明に係るコンテンツ制御設定システムの概略構成を示すブロック図である。
【図２】画像表示装置におけるハードウェア（Ｈ／Ｗ）構成を示すブロック図である。
【図３】画像表示装置におけるハードウェア（Ｓ／Ｗ）構成を示すブロック図である。
【図４】ＣＧＩプログラム群を構成する、各種ＣＧＩプログラムを示すブロック図である。
【図５】実施の形態１に係るコンテンツ制御設定システムの動作を説明するための図である。
【図６】実施の形態１に係るコンテンツ制御設定システムの動作を説明するための図である。
【図７】実施の形態１に係るコンテンツ制御設定システムの動作を説明するための図である。
【図８】実施の形態２に係るコンテンツ制御設定システムの動作を説明するための図である。
【図９】本発明に係るコンテンツ制御設定システムの他の概略構成を示すブロック図である。
【発明を実施するための形態】
【００１８】
以下、この発明をその実施の形態を示す図面に基づいて具体的に説明する。
【００１９】
＜実施の形態１＞
＜システムの構成＞
本発明に係るコンテンツ制御設定システム１００の概略構成を、図１に示す。
【００２０】
図１に示すように、コンテンツ制御設定システム１００は、画像表示装置１、ストレージ機器２、制御装置３、コンテンツサーバ４およびネットワーク接続機器５によって、構成されている。
【００２１】
画像表示装置１は、少なくとも１台以上であり、再生されたコンテンツの表示（コンテンツの再生表示）を行う。画像表示装置１は、ネットワーク（双方向性通信回線）と接続可能である。さらに、画像表示装置１は、ウェブサーバ機能およびウェブクライアント機能を有する。また、画像表示装置１は、ストレージ機器２の接続が可能である。
【００２２】
ストレージ機器２は、画像表示装置１に対して、外付けとして、接続可能である。当該ストレージ機器２には、画像表示装置１で再生表示されるコンテンツが保存される。当該ストレージ機器２として、たとえば、ＳＤ（Ｓｅｃｕｒｅ  Ｄｉｇｉｔａｌ）メモリカードやＵＳＢ（Ｕｎｉｖｅｒｓａｌ  Ｓｅｒｉａｌ  Ｂｕｓ）メモリなどを採用することができる。
【００２３】
制御装置３は、ウェブブラウザ機能を有しており、ウェブ画面の表示を行うことができる。当該制御装置３においても、ネットワークに接続可能である。当該制御装置３として、たとえば、パーソナルコンピュータや携帯端末などが採用できる。
【００２４】
コンテンツサーバ４は、ハードディスクドライブを備えており、当該ハードディスクドライブには、画像表示装置１で再生表示されるコンテンツが保存される。当該コンテンツサーバ４においても、ネットワークに接続可能である。当該コンテンツサーバ４として、たとえば、パーソナルコンピュータなどが採用できる。
【００２５】
ここで、図１に示したシステム構成では、制御装置３とコンテンツサーバ４とは別構成であったが、制御装置３とコンテンツサーバ４とを同一装置で構成しても良い。
【００２６】
ネットワーク接続制御装置５には、ネットワーク接続機能を備えた各装置１，３，４が接続され、当該各装置１，３，４のネットワーク接続を制御する。
【００２７】
なお、上記記載から分かるように、図１に示すシステム構成では、コンテンツの保存先は、画像表示装置１に接続可能なストレージ機器２と、ネットワークに接続可能なコンテンツサーバ４とである。
【００２８】
＜画像表示装置１のハードウェア構成＞
図１に示した画像表示装置１のハードウェア構成を、図２に示す。
【００２９】
図２に示すように、画像表示装置１は、ハードウェア６と液晶パネルモジュール１８とから構成される。液晶パネルモジュール１８は、映像を表示する。
【００３０】
他方、ハードウェア６は、ＣＰＵ（Ｃｅｎｔｒａｌ  Ｐｒｏｃｅｓｓｉｎｇ  Ｕｎｉｔ）７、サブメモリ８、メインメモリ９、グラフィックスコントローラ１０、ビデオメモリ１１、ＬＡＮ（Ｌｏｃａｌ  Ａｒｅａ  Ｎｅｔｗｏｒｋ）コントローラ１２、ＳＤカードコントローラ１３およびＵＳＢコントローラ１４によって、構成されている。
【００３１】
ＣＰＵ７は、アプリケーションやＯＳ（Ｏｐｅｒａｔｉｎｇ  Ｓｙｓｔｅｍ）などのソフトウェアを実行する。サブメモリ８は、ＲＯＭ（Ｒｅａｄ  Ｏｎｌｙ  Ｍｅｍｏｒｙ）などであり、ソフトウェアを記録する。メインメモリ９は、ＲＡＭ（Ｒａｎｄｏｍ  Ａｃｃｅｓｓ  Ｍｅｍｏｒｙ）などであり、サブメモリ８からロードされたソフトウェアを記録する。グラフィックスコントローラ１０は、画像の拡大や縮小を行い、所望の画質に変換する画質調整を行う。ビデオメモリ１１は、グラフィックスコントローラ１０からの映像信号を、フレームレート変換や画質調整のために、一旦記憶する。
【００３２】
ＬＡＮコントローラ１２にはＬＡＮ１５が接続され、当該ＬＡＮコントローラ１２は、当該ＬＡＮ１５を認識し、ＬＡＮ通信をコントロールする。ＳＤカードコントローラ１３にはＳＤカード１６が接続され、当該ＳＤカードコントローラ１３は、ＳＤカード１６を認識し、記憶ファイルの入出力をコントロールする。ＵＳＢコントローラ１４にはＵＳＢ機器１７が接続され、当該ＵＳＢコントローラ１４は、ＵＳＢ機器１７を認識し、ＵＳＢ機器１７をコントロールする。
【００３３】
＜画像表示装置１のソフトウェア構成＞
図１に示した画像表示装置１のソフトウェア構成を、図３に示す。
【００３４】
図３に示すように、画像表示装置１におけるソフトウェア１９は、ＯＳ２０、ミドルウェア／ライブラリ群２３およびアプリケーション群２４から構成される。
【００３５】
ＯＳ２０は、カーネル２１とデバイスドライバ群２２とから構成されている。カーネル２１は主に、プロセス管理、メモリ管理、時間管理、割り込み処理などを行う。また、デバイスドライバ群２２は、アプリケーションの要求に応じて、ハードウェア６を制御する。
【００３６】
アプリケーション群２４は、ウェブクライアント２５、ウェブサーバ２６、ＣＧＩ（Ｃｏｍｍｏｎ  Ｇａｔｅｗａｙ  Ｉｎｔｅｒｆａｃｅ）プログラム２７およびコンテンツプレーヤ／ビューワ２８から構成される。
【００３７】
ウェブクライアント２５は、ウェブサーバに対して要求を出す。また、ウェブサーバ２６は、ウェブブラウザからの要求に応じて、ＣＧＩプログラムを起動する。また、ＣＧＩプログラム群２７は、コンテンツ制御設定システム１００用のＣＧＩプログラムから成る。ここで、図４に示すように、ＣＧＩプログラム群２７は、スケジュール制御プログラム２９とグループ設定制御プログラム３０とから、構成される。さらに、コンテンツプレーヤ／ビューワ２８は、コンテンツの再生を行う。
【００３８】
ミドルウェア／ライブラリ群２３は、ＯＳ２０とアプリケーション群２４との中間に入るソフトウェアであり、ＯＳ２０とアプリケーション群２４との中間で要求の受け渡しを担う。また、ミドルウェア／ライブラリ群２３は、アプリケーション群２４の起動・停止・監視などの制御を行う。
【００３９】
＜システムの動作＞
図１に示す構成において、複数台設置された画像表示装置１と制御装置３とコンテンツサーバ４とは、ネットワークに接続されており、これらの装置１，３，４は、固有のＩＰ（Ｉｎｔｅｒｎｅｔ  Ｐｒｏｔｏｃｏｌ）アドレスを持つ。ここで、当該固有のＩＰアドレスは、ネットワーク接続制御機器５から自動で各装置１，３，４に割り当てられるか、もしくは、個々の装置１，３，４において手動で設定される。
【００４０】
図２，３，４に示す構成を有する画像表示装置１の電源が、ＯＮされる。すると、サブメモリ８に記憶されたカーネル２１、デバイスドライバ群２２、ミドルウェア／ライブラリ群２３およびアプリケーション群２４は、メインメモリ９へロードされる。これにより、ハードウェア６が、デバイスドライバ群２２により、アプリケーション群２４から制御可能となる。その後、ＬＡＮコントローラ１２が、固有のＩＰアドレスを読み込み、これにより、画像表示装置１のネットワーク接続が完了する。
【００４１】
同様にして、制御装置３に配設されたＬＡＮコントローラおよびコンテンツサーバ４に配設されたＬＡＮNコントローラが、固有のＩＰアドレスを読み込み、これにより、制御装置３およびコンテンツサーバ４のネットワーク接続が完了する。
【００４２】
以上により、画像表示装置１と制御装置３とコンテンツサーバ４とは、同一ローカルネットワーク内で接続されることになり、制御装置３は、ネットワーク経由で、画像表示装置１を制御することが可能となる。
【００４３】
さて、上述したように、画像表示装置１はウェブサーバの機能（ウェブサーバ２６）を有し、制御装置３はウェブブラウザの機能を有している。したがって、制御装置３のウェブブラウザによって、ネットワーク経由で、画像表示装置１のＣＧＩプログラム群２７を指定し、当該ＣＧＩプログラム群２７を実行させることができる。そこで、制御装置３は、ウェブブラウザを介して、画像表示装置１のウェブサーバ２６に対して、ＣＧＩプログラム起動要求（制御設定要求信号と把握できる）を送信する。
【００４４】
このように、制御装置３は、ＣＧＩプログラム起動要求を送信するだけで、実際にＣＧＩプログラム群２７を実行するのは、画像表示装置１である。したがって、制御装置３には、特別なアプリケーションは必要なく、ウェブブラウザ機能のみを実装していればよい。
【００４５】
制御装置３からのＣＧＩプログラム起動要求を受けたウェブサーバ２６は、ＣＧＩプログラム群２７を起動させ、当該ＣＧＩプログラム群２７は、画像表示装置１の構成要素であるハードウェア６のＣＰＵ７へ制御要求を出す。ＣＰＵ７は、当該制御要求に応じて制御を開始する。当該動作を、下記にて詳述する。
【００４６】
図５に例示するように利用者が制御装置３を操作し、たとえば制御装置３のウェブブラウザ（図６の符号５１参照）において、「ｈｔｔｐ：／／＜画像表示装置１の固有ＩＰアドレス＞／ｃｇｉ−ｂｉｎ／ｓｃｈｅｄｕｌｅ．ｃｇｉ」と、指定する。そうすると、当該指定された固有ＩＰアドレスの画像表示装置１のウェブサーバ２６に対して、制御装置３は、当該指定に対応するＣＧＩプログラム起動要求を送信する（図６に示すステップＳ１参照）。
【００４７】
すると、当該ＣＧＩプログラム起動要求を受信した画像表示装置１内では、当該ＣＧＩプログラム起動要求に応じて、上記制御装置３に、ウェブブラウザ５１による表示が可能な制御画面表示用データを作成し、送信する動作を行う。ここで、上記「ｓｃｈｅｄｕｌｅ」の文言を含む指定が実施された場合には、当該指定に対応するＣＧＩプログラム起動要求は、再生スケジュール設定に関するプログラムの起動の要求である（図４のスケジュール制御プログラム２９の起動要求）。
【００４８】
当該ＣＧＩプログラム起動要求を受信したウェブサーバ２６は、ＣＧＩプログラム群２７のｃｇｉ−ｂｉｎフォルダに存するスケジュール制御プログラム２９（ｓｃｈｅｄｕｌｅ．ｃｇｉ）を起動する（図６に示すステップＳ２参照）。
【００４９】
そして、スケジュール制御プログラム２９は、再生スケジュール設定に関するＨＴＭＬ（Ｈｙｐｅｒ  Ｔｅｘｔ  Ｍａｒｋｕｐ  Ｌａｎｇｕａｇｅ）を作成する。ここで、当該作成されたＨＴＭＬが、ウェブブラウザ５１による表示が可能な制御画面表示用データであると、把握できる。そして、スケジュール制御プログラム２９は、当該作成したＨＴＭＬを、ウェブサーバ２６に対して出力する（図６に示すステップＳ３参照）。
【００５０】
そして、ウェブサーバ２６は、取得したＨＴＭＬを、ＣＧＩプログラム起動要求の送信元である制御装置３のウェブブラウザ５１に対して送信する（図６に示すステップＳ４参照）。
【００５１】
当該制御装置３側では、受信したＨＴＭＬとウェブブラウザ５１とを用いて、コンテンツの制御および／または設定を行うためのウェブ画面を表示する。ここで、上記説明は、再生スケジュール設定に関するものである。したがって、図５に示すように、制御装置３のウェブブラウザ５１上に、スケジュール設定ウェブ画面３１が表示される。
【００５２】
当該スケジュール設定ウェブ画面３１が表示されると、利用者は、当該ウェブ画面３１上の「再生／登録」の欄において、上記で指定した固有のＩＰアドレスの画像表示装置１側で再生表示するコンテンツと、当該コンテンツの保存先を指定する。ここで、コンテンツの保存先が２以上である場合には、制御装置３は、ウェブ画面３１上において、コンテンツの保存先を選択できる。図１の構成例の場合には、コンテンツサーバ４およびストレージ機器２から、コンテンツの保存先が選択される。
【００５３】
利用者が、コンテンツとコンテンツの保存先を指定し、当該スケジュール設定ウェブ画面３１上において「再生ボタン」を押す（即再生制御と称する）。すると、上記で指定した固有のＩＰアドレスの画像表示装置１では、コンテンツプレーヤ／ビューワ２８を起動し、コンテンツ再生表示を開始する。なお、画像表示装置１におけるコンテンツの再生の際には、当該画像表示装置１のコンテンツプレーヤ／ビューワ２８は、再生するコンテンツのファイル形式にあわせて、ミドルウェア／ライブラリ群２３に含まれるコーデックを用いる。つまり、画像表示装置１自身において、再生表示を行うコンテンツの復号を実施する。
【００５４】
ここで、コンテンツの保存先として、画像表示装置１に接続されているストレージ機器２が選択されたとき、画像表示装置１は、当該ストレージ機器２に保存されているコンテンツの再生表示を行う。
【００５５】
他方、コンテンツの保存先として、コンテンツサーバ４が選択されたとき、画像表示装置１は、コンテンツサーバ４から、当該画像表示装置１に接続されているストレージ機器２に、指定されたコンテンツをダウンロードする。具体的に、当該画像表示装置１のスケジュール制御プログラム２９は、ウェブクライアント２５を起動し、当該画像表示装置１に接続されているストレージ機器２に、指定されたコンテンツをダウンロードする。そして、当該ダウンロード後、当該画像表示装置１は、当該ダウンロードされたコンテンツの再生表示を行う。
【００５６】
このように、コンテンツの保存先としてコンテンツサーバ４が選択されたときに、コンテンツ再生表示動作前に、対象となるコンテンツを画像表示装置１側のストレージ機器２にダウンロードすることにより、コンテンツの再生表示動作が、ネットワーク負荷状況に左右されることを防止できる。
【００５７】
また、利用者は、スケジュール設定ウェブ画面３１上の「再生／登録」の欄において、上記したコンテンツ指定と上記したコンテンツ保存先の指定（選択）に加えて、コンテンツの再生表示の日程も設定することもできる。つまり、制御装置３は、当該ウェブ画面３１上において、上記で指定した固有のＩＰアドレスを有する画像表示装置１でのコンテンツの再生スケジュールを設定できる（予約再生制御と称する）。
【００５８】
利用者が、コンテンツの再生スケジュールの設定（コンテンツ、コンテンツ保存先の選択・指定、コンテンツの再生表示の日程指定）後、当該スケジュール設定ウェブ画面３１上において「登録ボタン」を押す。つまり、利用者は、予約再生制御の設定を実行する。そうすると、制御装置３は、制御装置３で設定されたコンテンツの再生スケジュールに関する情報を、上記指定された固有ＩＰアドレスの画像表示装置１のウェブサーバ２６に対して送信する（図７に示すステップＳ１１参照）。
【００５９】
すると、当該ウェブサーバ２６は、スケジュール制御プログラム２９を起動し（図７に示すステップＳ１２参照）、当該起動したスケジュール制御プログラム２９は、ステップＳ１１で送信された情報を保存する。具体的に、スケジュール制御プログラム２９は、コンテンツの再生スケジュールに含まれるコンテンツ名と、当該コンテンツ名のコンテンツ保存先と、当該コンテンツ名の再生日時とを、メインメモリ９に記憶する。
【００６０】
そして、当該スケジュール制御プログラム２９は、新たにＨＴＭＬを作成し、当該新たに作成したＨＴＭＬをウェブサーバ２６に対して出力する（図７に示すステップＳ１３参照）。
【００６１】
そして、ウェブサーバ２６は、取得したＨＴＭＬを、コンテンツの再生スケジュールの設定操作が実施された制御装置３のウェブブラウザ５１に対して送信する（図７に示すステップＳ１４参照）。
【００６２】
当該制御装置３側では、受信したＨＴＭＬとウェブブラウザ５１とを用いて、表示しているスケジュール設定ウェブ画面３１の「一覧」の表において、コンテンツの再生スケジュールの登録情報を表示（反映）される。
【００６３】
他方、画像表示装置１では、保存された再生スケジュールに関する情報に従って、該当する日時において対象となるコンテンツの再生表示を行う。具体的に、画像表示装置１では、コンテンツプレーヤ／ビューワ２８を起動し、該当する日時に対象となるコンテンツの再生表示を開始する。なお、画像表示装置１におけるコンテンツの再生の際には、当該画像表示装置１のコンテンツプレーヤ／ビューワ２８は、再生するコンテンツのファイル形式にあわせて、ミドルウェア／ライブラリ群２３に含まれるコーデックを用いる。つまり、画像表示装置１自身において、再生表示を行うコンテンツの復号を実施する。
【００６４】
ここで、コンテンツの保存先デバイスとしてコンテンツサーバ４が選択された場合には、当該画像表示装置１のスケジュール制御プログラム２９は、ウェブクライアント２５を起動する。そして、ネットワーク負荷状況に左右されないように、再生スケジュールに関する情報保存後直ぐに（または、コンテンツの再生表示前に）、当該ウェブクライアント２５は、コンテンツサーバ４から当該画像表示装置１に接続しているストレージ機器２へ、スケジュールされたコンテンツをダウンロードする。そして、該当する日時に、画像表示装置１は、当該ストレージ機器２にダウンロードされたコンテンツの再生表示を実行する。
【００６５】
なお、コンテンツの保存先として画像表示装置１に接続されているストレージ機器２が選択されているときには、画像表示装置１は、設定された再生スケジュールに従い、該当する日時に、当該ストレージ機器２に保存されているコンテンツの再生表示を行う。
【００６６】
上記発明によれば、作業者は制御装置３のウェブブラウザ５１から、画像表示装置１内のウェブサーバ２６へアクセスし、画像表示１内のウェブサーバ２６によって、画像表示内のＣＧＩプログラム群２７が起動される。そして、制御装置３側のウェブブラウザ５１に表示されるウェブ画面３１で、コンテンツの再生制御やコンテンツの再生スケジュールの設定を行う。そして、当該制御・設定に従い、画像表示装置１側において、対象となるコンテンツの再生表示を行う。
【００６７】
このように、本発明では、作業者は制御装置３のウェブブラウザ５１操作のみで、画像表示装置１におけるコンテンツの再生表示を制御・設定できるので、高い利便性を有する。また、本発明では、制御装置３側には特別なアプリケーションの実装が不要となり、これにより、システムの運用のための特別な知識を必要としない。加えて、制御装置３には、特別なＨ／ＷやＳ／Ｗ実装する必要がなく、ウェブブラウザ５１のみ搭載されていれば十分であるので、デジタルサイネージシステムの大規模化を抑制できる。たとえば、一般的なパーソナルコンピュータ)以外に、携帯端末も制御装置３として利用できる。
【００６８】
本コンテンツ制御設定システム１００は、コンテンツをネットワーク配信する機能を有しながらも、大規模なシステムを必要としないため、簡単にシステムの構築ができ、さらに運用にかかるコストが大幅に軽減される。
【００６９】
さらに、前もってストレージ機器２にコンテンツを保存し、当該ストレージ機器２を画像表示装置１に接続すれば、コンテンツのネットワーク配信が必要のない小規模なデジタルサイネージシステムにも適用できる。
【００７０】
また、本発明では、コンテンツの保存先としてコンテンツサーバ４が選択されたとき、画像表示装置１は、コンテンツサーバ４から、当該画像表示装置１に接続されているストレージ機器２に、コンテンツをダウンロードし、当該ダウンロード後、当該コンテンツの再生表示を行う。したがって、コンテンツの再生表示動作が、ネットワーク負荷状況に左右されることを防止できる。
【００７１】
また、本発明では、コンテンツの再生に際して、画像表示装置１は自装置内において、再生表示を行うコンテンツの復号を実施している。したがって、コンテンツ再生用の装置の配設が省略され、その分、システムコストの低減およびシステムの小規模化を図ることができる。
【００７２】
なお、再生スケジュールにおけるコンテンツの登録は一つに限らず、複数の日時に渡って、複数種類のコンテンツの再生スケジュール登録ができることは言うまでもない。
【００７３】
また、制御装置３から画像表示装置１に対する設定・制御に関する情報は、当該画像表示装置１が電源ＯＦＦしたときに、メインメモリ９からサブメモリ８へ保存される。したがって、画像表示装置１における次回の電源ＯＮ時においても、当該情報は画像表示装置１に保持される。つまり、画像表示装置１の電源ＯＦＦにより、当該情報が消去されることはない。
【００７４】
＜実施の形態２＞
複数台設置した画像表示装置１に対して、同一スケジュールで同一コンテンツを再生したい場合もある。この場合、実施の形態１で説明したシステム構成では、制御装置３のウェブブラウザから、同一スケジュールで同一コンテンツの再生を行う全ての画像表示装置１の各々に対してアクセスし、各画像表示装置１に対して再生スケジュールの情報を設定することができる。しかしながら、制御装置３が各画像表示装置１に対して個別にアクセスする方法では、再生スケジュールの設定に手間がかかる。
【００７５】
そこで、本実施の形態に係るコンテンツ制御設定システムでは、制御装置３は、当該制御装置３に表示されるウェブ画面上において、画像表示装置１のグループ分け設定も行うことができる。以下、本実施の形態に係るコンテンツ制御設定システムの動作を、図１乃至４および図８を用いて説明する。なお、以下では、実施の形態１で説明した事項と同じ事項に関しては説明を省略し、当該グループ分け設定に焦点を当てて説明を進める。
【００７６】
ここで、本実施の形態において、「親画像表示装置１Ａ」とは、制御装置３が設定・登録のためにアクセスしている１台の所定の画像表示装置１のことを意味している。他方、「子画像表示装置１ａ」とは、制御装置３によりアクセスされていない「親画像表示装置１Ａ」以外の全ての画像表示装置１のことを意味している。
【００７７】
さて、実施の形態１で説明したように、制御装置３のウェブブラウザ５１によって、ネットワーク経由で、一台の所定の画像表示装置（以下、親画像表示装置と称する）１ＡのＣＧＩプログラム群２７を指定し、当該ＣＧＩプログラム群２７を実行させることができる。そこで、制御装置３は、ウェブブラウザ５１を介して、親画像表示装置１Ａのウェブサーバ２６に対して、ＣＧＩプログラム起動要求（制御設定要求信号と把握できる）を送信する。
【００７８】
制御装置３からのＣＧＩプログラム起動要求を受けたウェブサーバ２６は、ＣＧＩプログラム群２７を起動させ、当該ＣＧＩプログラム群２７は、画像表示装置１の構成要素であるハードウェア６のＣＰＵ７へ制御要求を出す。ＣＰＵ７は、当該制御要求に応じて制御を開始する。当該動作を、下記にて詳述する。
【００７９】
図８に例示するように利用者が制御装置３を操作し、たとえば制御装置３のウェブブラウザ５１において、「ｈｔｔｐ：／／＜親画像表示装置１Ａの固有ＩＰアドレス＞／ｃｇｉ−ｂｉｎ／ｇｒｏｕｐ．ｃｇｉ」と、指定する。
【００８０】
そうすると、当該指定された固有ＩＰアドレスの親画像表示装置１Ａのウェブサーバ２６に対して、制御装置３は、当該指定に対応するＣＧＩプログラム起動要求を送信する（図６に示すステップＳ１参照）。
【００８１】
すると、当該ＣＧＩプログラム起動要求を受信した親画像表示装置１Ａ内では、当該ＣＧＩプログラム起動要求に応じて、上記制御装置３に、ウェブブラウザ５１による表示が可能な制御画面表示用データを作成し、送信する動作を行う。ここで、上記「ｇｒｏｕｐ」の文言を含む指定が実施された場合には、当該指定に対応するＣＧＩプログラム起動要求は、グループ設定（グループ登録）に関するプログラムの起動の要求である（図４のグループ設定制御プログラム３０の起動要求）。
【００８２】
当該ＣＧＩプログラム起動要求を受信したウェブサーバ２６は、ＣＧＩプログラム群２７のｃｇｉ−ｂｉｎフォルダに存するグループ設定制御プログラム３０（ｇｒｏｕｐ．ｃｇｉ）を起動する（図６に示すステップＳ２参照）。
【００８３】
そして、グループ設定制御プログラム３０は、画像表示装置２のグループ分け設定（登録）に関するＨＴＭＬを作成する。ここで、当該作成されたＨＴＭＬが、ウェブブラウザ５１による表示が可能な制御画面表示用データであると、把握できる。そして、グループ設定制御プログラム３０は、当該作成したＨＴＭＬを、ウェブサーバ２６に対して出力する（図６に示すステップＳ３参照）。
【００８４】
そして、ウェブサーバ２６は、取得したＨＴＭＬを、ＣＧＩプログラム起動要求の送信元である制御装置３のウェブブラウザ５１に対して送信する（図６に示すステップＳ４参照）。
【００８５】
当該制御装置３側では、受信したＨＴＭＬとウェブブラウザ５１とを用いて、コンテンツの制御および／または設定を行うためのウェブ画面を表示する。ここで、上記説明は、グループ設定（登録）に関するものである。したがって、上記制御装置３内と親画像表示装置１Ａ内とにおける各動作および両装置３，１Ａ間の送受信通信により、図８に示すように、制御装置３のウェブブラウザ５１上に、グループ登録ウェブ画面３２が表示される。
【００８６】
当該グループ登録ウェブ画面３２の表示により、制御装置３は、当該ウェブ画面３２上において、各画像表示装置１のグループ分け設定ができる。
【００８７】
つまり、当該グループ登録ウェブ画面３２が表示されると、利用者は、当該ウェブ画面３２上の「登録」の欄において、グループ分け登録の対象とする画像表示装置１のディスプレイ名と、当該画像表示装置１のＩＰアドレスと、当該画像表示装置１を所属させるグループとを指定する。利用者が、当該指定後、グループ登録ウェブ画面３２の「登録」の欄において「実行ボタン」を押す。
【００８８】
ここで、制御装置３において表示されているグループ登録画面３２において、現在アクセス中の親画像表示装置１Ａに対するグループ分け設定（登録）に限らず、全ての画像表示装置１に対するグループ分け設定（登録）の指定を実施することができる。
【００８９】
すると、制御装置３は、制御装置３で設定されたグループ分けに関する情報を、上記親画像表示装置１Ａのウェブサーバ２６に対して送信する（図７に示すステップＳ１１参照）。
【００９０】
すると、当該ウェブサーバ２６は、グループ設定制御プログラム３０を起動し（図７に示すステップＳ１２参照）、当該起動したグループ設定制御プログラム３０は、ステップＳ１１で送信された情報を保存する。具体的に、グループ設定制御プログラム３０は、グループ分け登録の対象とする画像表示装置１のディスプレイ名と、当該画像表示装置１のＩＰアドレスと、当該画像表示装置１を所属させるグループとを、メインメモリ９に記憶する。
【００９１】
そして、当該グループ設定制御プログラム３０は、新たにＨＴＭＬを作成し、当該新たに作成したＨＴＭＬをウェブサーバ２６に対して出力する（図７に示すステップＳ１３参照）。
【００９２】
そして、ウェブサーバ２６は、取得したＨＴＭＬを、上記制御装置３のウェブブラウザ５１に対して送信する（図７に示すステップＳ１４参照）。当該制御装置３側では、受信したＨＴＭＬとウェブブラウザ５１とを用いて、表示しているグループ登録ウェブ画面３２の「一覧」の表において、グループ分けの登録情報を表示（反映）される（グループ登録ウェブ画面３２の更新）。なお、制御装置３によりアクセス中の親画像表示装置１Ａに関する情報は、「一覧」の最上部へ表示される。
【００９３】
さらに、グループ分けの登録情報を表示（反映）のための動作に加えて、グループ設定制御プログラム３０は、親画像表示装置１Ａと同じネットワーク内に属する他の全ての画像表示装置（つまり、子画像表示装置１ａ）に、グループ分け設定に関する登録情報（上記で、メインメモリ９において記録した情報）を送信する。これにより、親画像表示装置１Ａに対して、グループ分けに関する設定・登録が実施される度に、当該グループ分け設定に関する登録情報を、全画像表示装置１において同期させることができる。
【００９４】
さて、利用者が、１以上の画像表示装置１に対する上記グループ分け設定・登録の操作を、一通り終了したとする。次に、利用者は、実施の形態１で説明した内容に従い、スケジュール登録ウェブ画面３１を制御装置３に表示させる。そして、利用者は、当該ウェブ画面３１において、所望の画像表示装置１に対して、実施の形態１で説明した予約再生制御に関する設定・登録の処理を実施する。つまり、利用者は、当該ウェブ画面３１上において、所望の画像表示１に対して、コンテンツ、当該コンテンツ保存先および当該コンテンツの再生表示の日時等指定する処理を実行する。
【００９５】
すると、実施の形態１で説明した動作（コンテンツの再生スケジュールに関する情報を親画像表示装置１Ａに対して送信、親画像表示装置１Ａにおける前記再生スケジュールに関する情報の記憶、親画像表示装置１Ａにおける新たなＨＴＭＬの作成、当該新たなＨＴＭＬの制御装置３への送信、制御装置３における新たなＨＴＭＬを利用したスケジュール設定画面３１の更新であり、図７を用いて説明した一連の動作）が、コンテンツ制御設定システム１００において実行される。
【００９６】
ここで、本実施の形態では、実施の形態１で図７を用いて説明した上記一連の動作に加えて、次の動作も行う。つまり、予約再生制御の処理で指定されたコンテンツが、予約再生制御の処理で指定されたコンテンツ保存先から、親画像表示装置１Ａに接続されているストレージ機器２へ、ダウンロードされる。
【００９７】
これにより、ここまでの動作により、親画像表示装置１Ａには、予約再生制御の処理で設定されたコンテンツの再生スケジュール情報が記憶される。そして、当該親画像表示装置１Ａに接続されているストレージ２には、予約再生制御の処理で指定されたコンテンツが記憶される。
【００９８】
そこで、本実施の形態では、親画像表示装置１Ａは、上記予約再生制御の処理で指定した所望の画像表示装置１、および、上記グループ分けの設定・登録により当該所望の画像表示装置１と同じグループに属する他の全ての画像表示装置１に対して、親画像表示装置１Ａが記憶している上記コンテンツの再生スケジュール情報、および、当該親画像表示装置１Ａに接続されているストレージ２に記憶されている上記コンテンツを、各々送信する。なお、各画像表示装置１に対して送信されたコンテンツは、各画像表示装置１に接続された各ストレージ機器２へと格納される。
【００９９】
これにより、同一グループに属する全ての画像表示装置１において、同じ再生スケジュール情報と、当該再生スケジュール情報に含まれるコンテンツとを、共有することが可能となる。つまり、同一グループに属する各画像表示装置１において、同じ再生スケジュール情報とコンテンツとを、コンテンツの再生表示前に、登録させることができる。
【０１００】
なお、同じグループに属する各画像表示装置１では、スケジュール制御プログラム２９は、登録された再生スケジュール情報に従い、該当する日時になると、該当するコンテンツを当該画像表示装置１に接続されている各ストレージ機器２から夫々読みだし、各画像表示装置１における当該コンテンツの再生表示を開始する。これにより、同じグループに属する各画像表示装置１において、同一スケジュールで同一コンテンツが、再生表示させる。ここで、当該コンテンツの再生処理の際のコンテンツの復号動作については、実施の形態１を参照されたい。
【０１０１】
以上のように、本実施の形態では、利用者は、複数台の画像表示装置１に関してグルーピングを行うことができる。したがって、本実施の形態では、コンテンツ制御設定システム１００の利便性をより向上させることができる。
【０１０２】
また、本実施の形態では、一台の親画像表示装置１Ａが、他の全ての子画像表示装置１ａに対して、グループ分けに関する情報を送信している。したがって、ウェブブラウザ機能を有する制御装置３が、一台の画像表示装置１Ａに対してグループ分けの設定・登録を行うだけで、他の全ての子画像表示装置１ａは、同じグループ分けの設定・登録の情報を共有することができる。
【０１０３】
また、本実施の形態では、親画像表示装置１Ａが、予約再生制御の処理で指定されたコンテンツを、自装置１Ａに接続されているストレージ機器２にダウンロードする。そして、親画像表示装置１Ａは、予め有するグループ分けの情報に従い、予約再生制御の処理で指定された所望の画像表示装置１および当該所望の画像表示装置１と同じグループに属する各画像表示装置１に対して、予約再生制御の処理で設定されたスケジュール情報を送信する。さらに、親画像表示装置１Ａは、自装置１Ａに接続されているストレージ機器２から、所望の画像表示装置１に接続されているストレージ機器２および当該所望の画像表示装置１と同じグループに属する各画像表示装置１に接続される各ストレージ機器２に対して、予約再生制御で指定されたコンテンツを送信する。
【０１０４】
したがって、ウェブブラウザ機能を有する制御装置３が、一台の画像表示装置１Ａに対して予約再生制御に関する設定・登録を行うだけで、同じグループに属する各画像表示装置１において、同一スケジュールで同一コンテンツが、再生表示させる。
【０１０５】
＜実施の形態３＞
実施の形態１，２では、各画像表示装置１が、全てのソフトウェアおよび全てのハードウェアを内蔵している構成について言及した。本実施の形態では、図９に示すように、各画像表示装置１は、ＳＴＢ（Ｓｅｔ  Ｔｏｐ  Ｂｏｘ）３３と表示部３４とから構成されている。つまり、画像表示装置１は、二つの別部材（ＳＴＢ３３、表示部３４）により構成されており、ＳＴＢ３３と表示部３４とは、データの通信可能に接続されている。
【０１０６】
表示部３４は、画像（コンテンツ）の表示のみが実施できる単なるディスプレイとしてのみ機能する。たとえば、表示部３４は、図２に示した液晶パネルモジュール１８のみから成る。
【０１０７】
ＳＴＢ３３は、当該表示部３４以外の画像表示装置１が有する他の全ての機能を有する（たとえば、ウェブサーバ機能、ウェブクライアント機能、ネットワーク接続機能、ストレージ機器接続機能、コンテンツ再生機能、データ記憶機能等）。つまり、ＳＴＢ３３は、図３で示した全てのソフトウェア機能を備える。
【０１０８】
なお、画像表示装置１が、二つの別部材（ＳＴＢ３３、表示部３４）により構成される以外、コンテンツ制御設定システム１００の構成・動作は、実施の形態１，２で説明した内容と同じである。
【０１０９】
以上のように、本実施の形態では、画像表示装置１は、ＳＴＢ３３と表示部３４とにより構成されている。したがって、表示部３４として、既存のディスプレイやＴＶなどを利用することができる。つまり、本実施の形態では、コンテンツの表示画面の利用の自由度が向上する（つまり、利便性が向上する）。よって、本実施の形態では、たとえば用途に合わせて、コンテンツの表示画面のサイズを自由に選択することができる。
【０１１０】
＜他の実施の形態＞
上記実施の形態では、制御装置３のウェブブラウザからＣＧＩプログラム群２７を指定する方法を、例にとって説明した。たとえば、「ｈｔｔｐ：／／＜画像表示装置１の固有ＩＰアドレス＞／ｃｇｉ−ｂｉｎ／ｓｃｈｅｄｕｌｅ．ｃｇｉ」や、「ｈｔｔｐ：／／＜親画像表示装置１Ａの固有ＩＰアドレス＞／ｃｇｉ−ｂｉｎ／ｇｒｏｕｐ．ｃｇｉ」など。
【０１１１】
しかし、制御装置３のウェブブラウザにおいて、たとえば、「ｈｔｔｐ：／／＜画像表示装置１の固有ＩＰアドレス＞」とのみ指定しても良い。このように、ＩＰアドレスのみを指定したとする。この場合には、制御装置３と当該ＩＰアドレスの画像表示装置１との更新により、制御装置３のウェブブラウザにおいて、トップメニュー画面を表示させる。当該トップメニューの画面には、各プログラム（スケジュール制御プログラム２９やグループ設定制御プログラム３０）に対応した各種ボタンが含まれる。
【０１１２】
制御装置３に表示されるトップメニュー画面において、当該各種ボタンを操作すれば、上記ＩＰアドレスの画像表示装置１において、操作対象のＣＧＩプログラムを起動させることができる。
【０１１３】
当該ＩＰアドレスのみを指定する方法によると、直接プログラム名を入力する手間が省け、各種ＣＧＩプログラムの名前を覚えておく必要もなくなる。
【０１１４】
また、実施の形態１において、コンテンツを再生する際、再生するコンテンツのファイル形式に合わせて、ミドルウェア／ライブラリ群２３に含まれるコーデックを用いる方法を例にとって説明した。
【０１１５】
しかし、コンテンツの復号を実施する専用のハードウェアデコーダを、コンテンツ制御設定システム１００において別途設けても良い。画像表示装置１と当該ハードウェアデコーダとは接続されており、画像表示装置１（または、表示部３４）は、ハードウェアデコーダからの信号に基づいて、コンテンツの再生表示を行う。
【０１１６】
このように、ハードウェアデコーダを別途設ける構成を採用することによると、たとえば動画コンテンツ再生時に、画像表示装置１におけるＣＰＵ７の負荷を低減することができる。これにより、フレーム飛びの無い滑らかな動画コンテンツ再生表示が、可能となる。
【０１１７】
また、実施の形態１では、コンテンツサーバ４に格納されているコンテンツを再生する際、コンテンツの再生表示の前に、コンテンツサーバ４から、一旦画像表示装置１に接続されているストレージ機器２へ、当該コンテンツをダウンロードする方法を例にとって説明した。
【０１１８】
しかしながら、実施の形態１の説明において、コンテンツの保存先としてコンテンツサーバ４が選択されたとき、予めのコンテンツのダウンロードを行わず、画像表示装置１は、コンテンツサーバ４に保存されている当該コンテンツのストリーミング再生表示を行っても良い。
【０１１９】
当該ストリーミング再生表示の方法を採用することによると、ダウンロードに要する時間を省くことができる。したがって、当該方法により、コンテンツの再生要求から、実際のコンテンツの再生表示までの時間を、短縮することができる。
【０１２０】
なお、図５に示したウェブ画面３１および図８で示したウェブ画面３２は、一例であり、当該表示形成に限定される必要はない。
【符号の説明】
【０１２１】
１  画像表示装置、１Ａ  親画像表示装置、１ａ  子画像表示装置、２  ストレージ機器、３  制御装置、４  コンテンツサーバ、５  ネットワーク接続制御装置、６  ハードウェア、７  ＣＰＵ、８  サブメモリ、９  メインメモリ、１０  グラフィックスコントローラ、１１  ビデオメモリ、１２  ＬＡＮコントローラ、１３  ＳＤカードコントローラ、１４  ＵＳＢコントローラ、１５  ＬＡＮ  １６  ＳＤカード、１７  ＵＳＢ、１８  液晶パネルモジュール、１９  ソフトウェア、２０  ＯＳ、２１  カーネル、２２  デバイスドライバ群、２３  ミドルウェア／ライブラリ群、２４  アプリケーション群、２５  ウェブクライアント、２６  ウェブサーバ、２７  ＣＧＩプログラム群、２８  コンテンツプレーヤ／ビューワ、２９  スケジュール制御プログラム、３０  グループ設定制御プログラム、３１  スケジュール設定ウェブ画面、３２  グループ登録ウェブ画面、３３  ＳＴＢ、３４  表示部、５１  ウェブブラウザ、１００  コンテンツ制御設定システム。
【図１】
2012038122.tif 000003
【図２】
2012038122.tif 000004
【図３】
2012038122.tif 000005
【図４】
2012038122.tif 000006
【図５】
2012038122.tif 000007
【図６】
2012038122.tif 000008
【図７】
2012038122.tif 000009
【図８】
2012038122.tif 000010
【図９】
2012038122.tif 000011